【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
電子プロセッサと、
少なくとも１つのディスプレイと、
少なくとも１つのユーザ入力装置と、
非一時的記憶媒体と、
を有する放射線医療ビューワであって、前記非一時的記憶媒体が、
少なくとも１つの放射線医療画像及び放射線医療レポートを含む放射線医療検査情報を放射線医療検査データ記憶部から取り出すための前記電子プロセッサにより読取可能且つ実行可能な命令と、
前記少なくとも１つの放射線医療画像における解剖学的特徴を識別する一群の画像タグ、及び、前記放射線医療レポートの節における臨床的概念を識別する一群のレポートタグを、取り出し又は生成するための前記電子プロセッサにより読取可能且つ実行可能な命令と、
前記少なくとも１つの放射線医療画像の少なくとも一部を前記少なくとも１つのディスプレイ上に示される画像ウインドウに表示すると共に前記放射線医療レポートの少なくとも一部を前記少なくとも１つのディスプレイ上に示されるレポートウインドウに表示するための前記電子プロセッサにより読取可能且つ実行可能な命令と、
前記少なくとも１つのユーザ入力装置を介して前記画像ウインドウに示される解剖学的特徴の選択情報を受信すると共に前記放射線医療レポートの少なくとも１つの関連する節を、前記一群の画像タグ、前記一群のレポートタグ及び電子的な医学的オントロジを用いて識別し、且つ、前記放射線医療レポートの前記少なくとも１つの関連する節を前記レポートウインドウにおいて強調表示し、更に、選択された前記解剖学的特徴を前記放射線医療レポートの前記関連する節の強調表示と同一の強調表示法を用いて強調表示するための前記電子プロセッサにより読取可能且つ実行可能な命令と、
前記少なくとも１つのユーザ入力装置を介して前記レポートウインドウに示される前記放射線医療レポートの節の選択情報を受信すると共に前記少なくとも１つの放射線医療画像の少なくとも１つの関連する解剖学的特徴を、前記一群の画像タグ、前記一群のレポートタグ及び前記電子的な医学的オントロジを用いて識別し、且つ、前記少なくとも１つの放射線医療画像の前記少なくとも１つの関連する解剖学的特徴を、前記画像ウインドウにおいて強調表示し、更に、選択された前記放射線医療レポートの節を前記関連する解剖学的特徴の強調表示と同一の強調表示法を用いて強調表示するための前記電子プロセッサにより読取可能且つ実行可能な命令と、
を記憶する、放射線医療ビューワ。
【請求項２】
前記一群の画像タグ及び一群のレポートタグを取り出し又は生成するための前記電子プロセッサにより読取可能且つ実行可能な命令は、前記放射線医療検査データ記憶部に記憶された全ての放射線医療画像における解剖学的特徴を識別する複数群の画像タグを生成すると共に、前記放射線医療検査データ記憶部に記憶された全ての放射線医療レポートの節における臨床的概念を識別する複数群のレポートタグを生成するように動作し、
前記画像ウインドウに示される解剖学的特徴の選択情報を受信すると共に前記放射線医療レポートの少なくとも１つの関連する節を識別するための前記電子プロセッサにより読取可能且つ実行可能な命令は、前記放射線医療検査データ記憶部における同一の患者の全ての放射線医療検査の全ての放射線医療レポートにおける全ての関連する節を識別するように動作し、
前記レポートウインドウに示される放射線医療レポートの節の選択情報を受信すると共に前記少なくとも１つの放射線医療画像の少なくとも１つの関連する解剖学的特徴を識別するための前記電子プロセッサにより読取可能且つ実行可能な命令が、前記放射線医療検査データ記憶部における同一の患者の全ての放射線医療検査の全ての放射線医療画像における全ての関連する解剖学的特徴を識別するように動作する、
請求項１に記載の放射線医療ビューワ。
【請求項３】
前記一群の画像タグを生成するための前記電子プロセッサにより読取可能且つ実行可能な命令が、
前記少なくとも１つの放射線医療画像を解剖学的地図と空間的に位置合わせする処理、及び
前記一群の画像タグを、前記解剖学的地図の画像特徴を前記空間的に位置合わせされた前記少なくとも１つの放射線医療画像の対応する空間領域に関連付けることにより生成する処理、
を含む処理を実行する、
請求項１に記載の放射線医療ビューワ。
【請求項４】
前記一群のレポートタグを生成するための前記電子プロセッサにより読取可能且つ実行可能な命令が、
前記放射線医療レポートにおけるキーワードを前記医学的オントロジのエントリに対して識別する処理、及び
前記一群のレポートタグを、前記識別されたキーワードを含む前記放射線医療レポートの節を前記医学的オントロジの対応するエントリに記載された臨床的概念に関連付けることにより生成する処理、
を含む処理を実行する、
請求項１から３の何れか一項に記載の放射線医療ビューワ。
【請求項５】
前記一群のレポートタグを生成するための前記電子プロセッサにより読取可能且つ実行可能な命令が、
前記放射線医療レポートに対し自然言語処理を実行して、前記医学的オントロジのエントリに対応する前記放射線医療レポートの節を識別する処理、及び
前記一群のレポートタグを、前記放射線医療レポートの前記識別された節を前記医学的オントロジの対応するエントリに記載された臨床的概念に関連付けることにより生成する処理、
を含む処理を実行する、
請求項１から４の何れか一項に記載の放射線医療ビューワ。
【請求項６】
前記少なくとも１つの放射線医療画像の少なくとも一部を前記少なくとも１つのディスプレイ上に示される画像ウインドウに表示すると共に前記放射線医療レポートの少なくとも一部を前記少なくとも１つのディスプレイ上に示されるレポートウインドウに表示するための前記電子プロセッサにより読取可能且つ実行可能な命令が、前記画像ウインドウ及び前記レポートウインドウを前記少なくとも１つのディスプレイ上に同時に表示するように動作する、
請求項１から５の何れか一項に記載の放射線医療ビューワ。
【請求項７】
前記少なくとも１つのユーザ入力装置を介して前記画像ウインドウに示される解剖学的特徴の選択情報を受信すると共に前記放射線医療レポートの関連する節を前記レポートウインドウにおいて強調表示する処理は、選択された前記解剖学的特徴と前記放射線医療レポートの前記関連する節とを接続する接続矢印を表示する処理を更に含み、
前記少なくとも１つのユーザ入力装置を介して前記レポートウインドウに示される放射線医療レポートの節の選択情報を受信すると共に前記少なくとも１つの放射線医療画像の関連する解剖学的特徴を前記画像ウインドウにおいて強調表示する処理は、選択された前記放射線医療レポートの節と前記関連する解剖学的特徴とを接続する接続矢印を表示する処理を含む、
請求項６に記載の放射線医療ビューワ。
【請求項８】
前記電子プロセッサが、
前記一群の画像タグ及び前記一群のレポートタグを生成すると共に前記一群の画像タグ及び前記一群のレポートタグを前記放射線医療検査データ記憶部に更に記憶するための命令を読み取り且つ実行するように接続されたサーバコンピュータ、及び
前記少なくとも１つのディスプレイ及び前記少なくとも１つのユーザ入力装置に動作的に接続されたビューワワークステーション、
を含む、
請求項１から７の何れか一項に記載の放射線医療ビューワ。
【請求項９】
前記ビューワワークステーションが、前記サーバコンピュータ及び前記放射線医療検査データ記憶部にインターネットを介して接続される、
請求項８に記載の放射線医療ビューワ。
【請求項１０】
少なくとも１つの放射線医療画像及び放射線医療レポートに対して作用する放射線医療観察方法を実行するために少なくとも１つのディスプレイ、少なくとも１つのユーザ入力装置及び放射線医療検査データ記憶部に動作的に接続された電子プロセッサにより読取可能且つ実行可能な命令を記憶した非一時的記憶媒体であって、
前記放射線医療観察方法が、
前記少なくとも１つの放射線医療画像の少なくとも一部を前記少なくとも１つのディスプレイ上に示される画像ウインドウに表示するステップと、
前記放射線医療レポートの少なくとも一部を、前記少なくとも１つのディスプレイ上に示されるレポートウインドウに表示するステップと、
前記少なくとも１つの放射線医療画像における解剖学的特徴を識別する一群の画像タグ、前記放射線医療レポートの節における臨床的概念を識別する一群のレポートタグ、及び、電子的な医学的オントロジを用いるステップであって、
（１）前記少なくとも１つのユーザ入力装置を介して前記画像ウインドウに示される解剖学的特徴の選択情報を受信すると共に前記放射線医療レポートの少なくとも１つの関連する節を識別し、且つ、前記放射線医療レポートの前記少なくとも１つの関連する節を前記レポートウインドウにおいて強調表示するステップ、及び
（２）前記少なくとも１つのユーザ入力装置を介して前記レポートウインドウに示される前記放射線医療レポートの節の選択情報を受信すると共に前記少なくとも１つの放射線医療画像の少なくとも１つの関連する解剖学的特徴を識別し、且つ、前記少なくとも１つの放射線医療画像の前記少なくとも１つの関連する解剖学的特徴を前記画像ウインドウにおいて強調表示するステップ、
のうちの少なくとも一方を実施するステップと、
を有し、
前記ステップ（１）は、前記放射線医療検査データ記憶部における同一の患者の放射線医療検査の如何なる放射線医療レポートにおける如何なる関連する節の不存在も更に識別し、
前記ステップ（２）は、前記放射線医療検査データ記憶部における同一の患者の如何なる放射線医療検査の放射線医療画像における如何なる関連する解剖学的特徴の不存在も更に識別する、
非一時的記憶媒体。
【請求項１１】
前記ステップ（１）は、前記放射線医療検査データ記憶部における同一の患者の全ての放射線医療検査の放射線医療レポートの関連する節を識別し、
前記ステップ（２）は、前記放射線医療検査データ記憶部における同一の患者の全ての放射線医療検査の放射線医療画像の関連する解剖学的特徴を識別する、
請求項１０に記載の非一時的記憶媒体。
【請求項１２】
前記放射線医療観察方法が、
前記少なくとも１つの放射線医療画像を解剖学的地図と空間的に位置合わせするステップと、
前記一群の画像タグを、前記解剖学的地図の画像特徴を前記空間的に位置合わせされた前記少なくとも１つの放射線医療画像の対応する空間領域に関連付けることにより生成するステップと、
を更に有する、
請求項１０又は１１に記載の非一時的記憶媒体。
【請求項１３】
前記放射線医療観察方法が、
前記放射線医療レポートにおける節を前記医学的オントロジのエントリに対して識別するステップと、
前記一群のレポートタグを、前記放射線医療レポートの前記識別された節を前記医学的オントロジの対応するエントリに記載された臨床的概念に関連付けることにより生成するステップと、
を更に有する、
請求項１０から１２の何れか一項に記載の非一時的記憶媒体。
【請求項１４】
前記少なくとも１つの放射線医療画像の少なくとも一部を前記画像ウインドウに表示するステップ及び前記放射線医療レポートの少なくとも一部を前記レポートウインドウに表示するステップが、前記画像ウインドウ及び前記レポートウインドウが前記少なくとも１つのディスプレイ上に同時に示されるようにして同時に実行される、
請求項１０から１３の何れか一項に記載の非一時的記憶媒体。
【請求項１５】
前記ステップ（１）は、前記放射線医療レポートの前記関連する節を前記レポートウインドウに強調表示カラー又はパターンを用いて強調表示するステップを含むと共に、前記選択された解剖学的特徴を前記画像ウインドウに前記関連する節を強調表示するために使用されたものと同一のカラー又はパターンを用いて強調表示するステップを更に含み、
前記ステップ（２）は、前記少なくとも１つの放射線医療画像の前記関連する解剖学的特徴を前記画像ウインドウに強調表示カラー又はパターンを用いて強調表示するステップを含むと共に、前記放射線医療レポートの前記選択された節を前記レポートウインドウに前記関連する解剖学的特徴を強調表示するために使用されたものと同一のカラー又はパターンを用いて強調表示するステップを更に含む、
請求項１０から１４の何れか一項に記載の非一時的記憶媒体。